(57)【要約】【課題】吸上げパイプを弯曲させてその下端を、容器体底壁の外周部へ位置させ、容器体内液体が少なくなったとき、容器体を傾け吸上げパイプ下端側に液体を集めてポンプ操作行うことで容器体内液体を残さず噴出可能とした縦形ポンプ付き容器において、上方からみて液体を噴出するノズルの方向と吸上げパイプ弯曲方向とが常に一致してノズル突出方向により吸上げパイプ下端の位置が解るよう、又ノズルを有する押下げヘッドが容器に対して回動しないよう設けた。【解決手段】シリンダ21に対して吸上げパイプ22を、シリンダに対して装着筒11を、該装着筒に対して押下げヘッド34を、それぞれ回動不能とすると共に、装着筒11に対する押下げヘッド34の回動阻止を、装着筒の頂壁12から起立させた第１ガイド筒15上部へ、押下げヘッドから垂下させた第２ガイド筒37下部を、かつこれ等両ガイド筒の一方に縦設した縦溝16内へ他方へ縦設した係合突条38を、それぞれ押下げヘッドの押下げが可能に嵌合させて行った。【選択図】  図１
2004210312.tif 000002
【特許請求の範囲】
【請求項１】
容器体１と、該容器体口頸部へ頂壁12外周から垂下する周壁13を嵌合させた装着筒11と、該装着筒から容器体内へ垂下された吸上げパイプ22付きのシリンダ21と、該シリンダ内から上記頂壁12を貫通しかつ上方付勢されて起立するステム32上端部外面へノズル33付き押下げヘッド34を嵌着する作動部材31とからなる、縦形ポンプ付き容器において、
上記吸上げパイプ22上部をシリンダ下端部へ回動不能に嵌合させると共に、該吸上げパイプを下外方へ弯曲させて下端23を容器体底壁の外周部へ位置させ、かつノズル33を容器上方からみて吸上げパイプ22と同一方向へ突出させ、
又シリンダ21に対して装着筒11を、かつ該装着筒11に対して押下げヘッド34を、それぞれ回動不能となし、
装着筒11に対する押下げヘッド34の回動防止機構は、装着筒11の頂壁12から起立させた第１ガイド筒15上部へ押し下げヘッド34から垂下させた第２ガイド筒37下部を、かつこれ等両ガイド筒の一方に縦設した縦溝16内へ他方に縦設した係合突条38を、それぞれ押下げヘッドの押下げが可能に嵌合させて形成した
ことを特徴とする縦形ポンプ付き容器。
【請求項２】
上記係合突条38を、押下げヘッド34から垂下して作動部材31のステム上部外面へ嵌合するステム嵌合筒36と、第２ガイド筒37とを結ぐ連結板38ａで形成し、
又、第１ガイド筒15に穿設する縦溝を、上記連結板を挿通させた縦割溝16ａで形成した
ことを特徴とする、請求項１記載の縦形ポンプ付き容器。
【請求項３】
係合突条を、上記連結板38ａと、第２ガイド筒37内面へ縦設した周方向巾広の係合突条38とで、それぞれ形成すると共に、
縦溝16は、上記縦割溝16ａと、第１ガイド筒15外面へ縦設した、周方向巾広の縦溝16とでそれぞれ形成し、
上記連結板38ａは、縦割溝16ａ内を挿通させると共に、係合突条38は、該係合突条の両側面39、39を縦溝16の両側40、40へ当接ないし近接させて嵌合させた
ことを特徴とする、請求項２記載の縦形ポンプ付き容器。
【請求項４】
上記係合突条38下端面を、押下げヘッド34から垂下する第２ガイド筒37下端面よりも上方へ位置させ、該第２ガイド筒37下端面と係合突条38下端面との間の第２ガイド筒下端筒部分を、第１ガイド筒15外面へのガイド用筒部分41とした
ことを特徴とする、請求項２又は３記載の縦形ポンプ付き容器。
【発明の詳細な説明】
【０００１】
【発明の属する技術分野】
本発明は縦形ポンプ付き容器に関する。
【０００２】
【従来の技術】
容器体と、該容器体口頸部へ、頂壁外周から垂下する周壁を嵌合させた装着筒と、該装着筒から容器体内へ垂下された、吸上げパイプ付きシリンダと、該シリンダ内から上記頂壁を貫通し、かつ上方付勢されて起立する筒部分の上端部外面へノズル付き押下げヘッドを嵌着する作動部材とからなり、該作動部材を、押下げヘッドを介して付勢に抗し押下げ又上昇させることで、容器体内液体をシリンダ内へ吸上げ、かつ該シリンダ内液体をノズルから噴出できるよう設けた縦形ポンプ付き容器が周知となっている（特許文献１）。
【０００３】
【特許文献１】
特開平１０−３２３５８８号公報
【０００４】
【発明が解決しようとする課題】
上記容器にあっては、吸上げパイプ下部を下外方へ弯曲させてその下端を容器体底壁の外周部へ位置させておき、容器体内液体が少なくなったときに、吸上げパイプ下端が位置する容器体底壁外周部分が下方に位置するよう容器体を傾けて容器体内液体を集め、該容器体傾斜状態でポンプ操作を行うことで液体を残さず噴出させることが行われているが、例えば容器体が不透明であれば弯曲する吸上げパイプ下端の位置が不明であり、よって吸上げパイプ下端が位置する容器体底部部分を下方へ位置させるよう容器体を傾けることが困難となる。
【０００５】
本発明は、容器体上方からみて吸上げパイプ下端が位置する方向へ押下げヘッドのノズルが常に位置するよう設けて、ノズルが突出する側の容器体底壁部分が下方となるよう容器体を傾ければ吸上げパイプ下端部分へ液体を集めることが出来、よって容器体内液体をほぼ残さず噴出させることが可能としたものである。
【０００６】
【課題を解決するための手段】
第１の手段として容器体１と、該容器体口頸部へ頂壁12外周から垂下する周壁13を嵌合させた装着筒11と、該装着筒から容器体内へ垂下された吸上げパイプ22付きのシリンダ21と、該シリンダ内から上記頂壁12を貫通しかつ上方付勢されて起立するステム32上端部外面へノズル33付き押下げヘッド34を嵌着する作動部材31とからなる、縦形ポンプ付き容器において、
上記吸上げパイプ22上部をシリンダ下端部へ回動不能に嵌合させると共に、該吸上げパイプを下外方へ弯曲させて下端23を容器体底壁の外周部へ位置させ、かつノズル33を容器上方からみて吸上げパイプ22と同一方向へ突出させ、
又シリンダ21に対して装着筒11を、かつ該装着筒11に対して押下げヘッド34を、それぞれ回動不能となし、
装着筒11に対する押下げヘッド34の回動防止機構は、装着筒11の頂壁12から起立させた第１ガイド筒15上部へ押し下げヘッド34から垂下させた第２ガイド筒37下部を、かつこれ等両ガイド筒の一方に縦設した縦溝16内へ他方に縦設した係合突条38を、それぞれ押下げヘッドの押下げが可能に嵌合させて形成した。
【０００７】
第２の手段として、上記第１の手段を有すると共に上記係合突条38を、押下げヘッド34から垂下して作動部材31のステム上部外面へ嵌合するステム嵌合筒36と、第２ガイド筒37とを結ぐ連結板38ａで形成し、
又、第１ガイド筒15に穿設する縦溝を、上記連結板を挿通させた縦割溝16ａで形成した。
【０００８】
第３の手段として、上記第２の手段を有すると共に係合突条を、上記連結板38ａと、第２ガイド筒37内面へ縦設した周方向巾広の係合突条38とで、それぞれ形成すると共に、
縦溝16は、上記縦割溝16ａと、第１ガイド筒15外面へ縦設した、周方向巾広の縦溝16とでそれぞれ形成し、
上記連結板38ａは、縦割溝16ａ内を挿通させると共に、係合突条38は、該係合突条の両側面39、39を縦溝16の両側40、40へ当接ないし近接させて嵌合させた
第４の手段として、上記第２又は第３の手段を有すると共に、上記係合突条38下端面を、押下げヘッド34から垂下する第２ガイド筒37下端面よりも上方へ位置させ、該第２ガイド筒37下端面と係合突条38下端面との間の第２ガイド筒下端筒部分を、第１ガイド筒15外面へのガイド用筒部分41とした。
【０００９】
【発明の実施の形態】
以下、図１から図３が示す第１実施形態について説明する。尚周知部分については簡単な説明に止める。１は胴部２上端から肩部３を介して口頸部４を起立する容器体である。
【００１０】
11は頂壁12外周から周壁13を垂下する装着筒で、その頂壁は内向きフランジ状に頂壁中央部に透孔14を有し、かつ頂壁内周部から第１ガイド筒15を起立する。該第１ガイド筒は図２が示すように外面に上面開溝の縦溝16を縦設する。尚図２にあってはその縦溝の一つを上端面開口の縦割溝16ａとするが、図４が示す変形例のように縦溝16だけ複数設けてもよい。
【００１１】
21は上記装着筒11内から垂下させたシリンダで、該シリンダの下端から回動不能に吸上げパイプ22を垂下する。該吸上げパイプ下部は下外方へ弯曲形成しており、その下端23は容器体底壁の外周部上へ載置させている。又シリンダの上部からは外向きフランジ24を突出させており、該外向きフランジ外周部は既述装着筒周壁13の上端部内面へ周設した溝内へ強制嵌合させている。又シリンダ上端部は装着筒頂壁中央部の透孔14内へ嵌合させている。  該シリンダ21は装着筒11に対して回動不能に嵌合させる。そのためには外向きフランジ上方のシリンダ上端部外面と上記透孔14内面とに凹凸の係合手段を設けてそれ等凹凸を回動不能に嵌合させてもよく、又シリンダ21と装着筒11とを、装着筒頂壁12の内周からシリンダを垂下させることで、それ等両者を一体成形することも出来る。
【００１２】
上記シリンダ内からは、上方付勢させて作動部材31を起立する。作動部材はステム32下端に筒状ピストンを有し、かつステム上端部外面へ、ノズル33付きの押下げヘッド34を嵌合させている。押下げヘッド34は押下げ用頂板35下面からステム嵌合筒36を垂下し、かつその頂板35外周から、既述第１ガイド筒15外面へ嵌合させて第２ガイド筒37を垂下する。該第２ガイド筒37内面には既述装着筒11の縦溝16内へ嵌合させる係合突条38を縦設する。該係合突条は図４の変形例が示すように各縦溝16内へ嵌合できるよう設けただけでもよいが、図２のように縦溝を縦割溝16a で形成した場合は、その係合突条は図３が示すようにステム嵌合筒36外面へ接続させた連結板38a で形成するとよい。該連結板は図３が示すように第２ガイド筒37側を厚肉に、ステム嵌合筒36側を薄肉に形成している。押下げヘッド34は通常合成樹脂材で一体成形するが、ステム嵌合筒36との連結板部分を厚肉とすると、該連結部分内方のステム嵌合筒36内面部分にヒケによる凹部が生じ易く、該凹部がステム嵌合筒36内への水密なステム嵌合を防げることを防止するものである。係合突条38ないし連結板38a はその下部を縦溝16ないし縦割溝16a の上部内へ嵌合させ、押下げヘッド34を介しての作動部材31押下げにより下降可能に設けておく。
【００１３】
図４は既述のように第１実施形態の第１変形例であり、図５と図６とは第２変形例を示す。該第２変形例は、係合突条38を、既述連結板38a と、第２ガイド筒37内面へ縦設した、ほぼ半周で巾広の係合突条38とで形成し、又縦溝は既述縦割溝16a と、第１ガイド筒15内面へ縦設した、ほぼ半周の巾広縦溝16とで形成している。それ等巾広係合突条38の両側面39,39 と、巾広縦溝16の両側面40,40 とは当接ないし近接させて設ける。上記突条下端面は、第２ガイド筒37下端面よりも多少上方に位置させ、第２ガイド筒37下端面と係合突条38下端面との間の第２ガイド筒下端筒部分を、第１ガイド筒15外面へのガイド用筒部分41としている。
【００１４】
図７は第３変形例を示すもので、係合突条を既述連結板38a と第２ガイド筒37内面へ縦設した巾狭の係合突条38とで形成し、又縦溝は、既述縦割溝16a と、ほぼ半周巾広の縦溝16とで形成し、該縦溝両側面40,40 へ、上記巾狭係合突条38,38 を当接ないし近接させて設けている。但し図７の連結板38a は、既述のヒケが生じない程度の厚み巾とすることで、第２ガイド筒37側からステム嵌合筒36側まで同一厚み巾の板としている。
【００１５】
【発明の効果】
本発明は既述構成とするものであり、請求項１記載のようにすることで、容器上方からみて吸上げパイプ22下方の弯曲方向とノズル33の突出方向とは常に一致することとなるから、容器体が不透明であっても容器体内液体が少なくなったとき、容器体を傾けて吸上げパイプ下端の位置へ液体を集めて液体噴出させることが出来、又装着筒11に対する押下げヘッド34の回動阻止を、装着筒11から起立させた第１ガイド筒15上部へ、押下げヘッドから垂下させた第２ガイド筒37下部を、これ等両筒の一方へ縦設した縦溝16内へ、他方に縦設した係合突条38を、それぞれ押下げヘッドの押下げが可能に嵌合させて形成したから、その回動阻止を確実に行うことが出来る。
【００１６】
請求項２のようにすることで、誤って装着筒11に対して押下げヘッド34を強く回しても、連結板38a が縦割溝16a へ挿通されているから、係合突条38が縦溝16を乗越えるおそれは全くなく、上記装着筒11に対する押下げヘッド34の回動阻止を確実とすることが出来る。
【００１７】
請求項３のようにすることで、装着筒11に対する押下げヘッド回転の力を分散させることが出来、第１、第２ガイド筒15,37 の破損を防止でき、又これ等両ガイド筒を比較的肉薄とすることが出来る。
【００１８】
請求項４記載のようにすることで、第１ガイド筒15外面への第２ガイド筒37嵌合に際して、始め第１ガイド筒15上部外面へ第２ガイド筒37のガイド用筒部分41を浅く嵌合させておき、該状態から押下げヘッド34を回せば係合突条38と縦溝16との位置合せを容易に行うことが出来、該位置合せ状態から第２ガイド筒37を押下げすれば、それ等両ガイド筒の嵌合を容易に行うことが出来る。
【図面の簡単な説明】
【図１】本発明容器の断面図である。
【図２】図１要部の拡大分解斜視図である。
【図３】図１容器の拡大横断面図である。
【図４】図１容器の要部を、第１変形例で示す拡大分解斜視図である。
【図５】図１容器の要部を、第２変形例で示す拡大分解斜視図である。
【図６】図５要部の横断面図である。
【図７】図１容器の要部を、第３変形例で示す横断面図である。
【符号の説明】
１…容器体              11…装着筒
15…第１ガイド筒        16…縦溝
16a…縦割溝              21…シリンダ
22…吸上げパイプ        31…作動部材
32…ステム              34…押下げヘッド
37…第２ガイド筒        38…係合突条
38a…連結板              39…係合突条両側面
40…縦溝両側面
【図１】
2004210312.tif 000003
【図２】
2004210312.tif 000004
【図３】
2004210312.tif 000005
【図４】
2004210312.tif 000006
【図５】
2004210312.tif 000007
【図６】
2004210312.tif 000008
【図７】
2004210312.tif 000009